(57)【要約】      （修正有）【課題】天気予報が生成される対象区域にいる、場合によってはユーザでもある観測者から情報をプルすることにより天気予報の正確度を向上させる助けとするシステムを提供する。【解決手段】特定の場所及び時間における気象事象の実際の観測を利用することにより、より正確な天気予報を生成する方法、装置、及び非一時的なコンピュータ読取り可能記憶媒体が提供される。例えば、観測データはユーザ装置から受信され、ユーザが観測した気象事象を示す情報を含んでいる。それに代えて、又はそれに加えて、観測データは、特定の場所に配置された１つ又は複数のセンサで自動的に生成され、観測を検出すると自動的に中央のサーバに送信されることもできる。観測データを使用して、観測された事象が発生したその特定の場所に対応する、又はその他の形で関連する場所の天気予報を予測することができる。【選択図】図１Ａ
2018163159.tif 000002
【特許請求の範囲】
【請求項１】
コンピュータによって実施される方法であって、
遠隔の装置から、前記遠隔の装置のユーザにより入力された気象に関連する観測データを受信するステップであり、前記気象に関連する観測データは、ある場所及びある時間における気象関連事象を示す、ステップと、
前記気象に関連する観測データの客観的な気象データとの比較により、前記ユーザの信頼度を示す信用性の評価を決定するステップと、
前記信用性の評価に基づいて、前記気象に関連する観測データに関連付けられる重みを決定するステップと、
前記気象に関連する観測データ及び前記重みに基づいて、画像の画素の値を設定するステップであって、前記画素は前記場所に関連付けられている、ステップと、
前記画像に基づいて、天気予報を生成するステップと、
前記天気予報を出力するステップと、
を含む方法。
【請求項２】
前記画像は、第２の場所に関連付けられた第２の画素をさらに含み、
前記方法は、前記気象に関連する観測データ、前記時間、前記重み及び前記場所と前記第２の場所との距離に基づいて前記第２の画素の第２の値を設定するステップ、をさらに含む、
請求項１に記載の方法。
【請求項３】
前記画像は、前記時間に関連付けられている、請求項１に記載の方法。
【請求項４】
前記天気予報は、第２の時間に関連付けられた第２の画像にさらに基づいて生成される、請求項１〜３のいずれか一項に記載の方法。
【請求項５】
前記気象関連事象が、雹、風、稲妻、温度、降水、及び日光の強度、の少なくとも１つを含む、請求項１〜４のいずれか一項に記載の方法。
【請求項６】
前記天気予報は、ある地域における可能性の高い降水種類、及び、複数の降水量のうちの各降水量に対する、前記可能性の高い降水種類が前記各降水量で発生する可能性を示す、請求項１〜５のいずれか一項に記載の方法。
【請求項７】
前記天気予報を生成するステップが、
降水種類の確率分布及び降水量の確率分布を生成するステップであって、前記降水種類の確率分布は、複数の降水種類のうちの各降水種類が発生する可能性を示し、前記降水量の確率分布は、複数の降水量の各降水量が発生する可能性を示す、ステップと、
前記降水種類の確率分布及び前記降水種類の確率分布を組み合わせることにより結果の分布を生成するステップであって、前記結果の分布は、複数の降水種類のうちの各降水種類が、複数の降水量のうちの各降水量で発生する可能性を示す、ステップと、を含む、
請求項１〜６のいずれか一項に記載の方法。
【請求項８】
前記天気予報は、前記遠隔の装置とは異なる他の遠隔の装置に送信され、
前記方法は、
前記他の遠隔の装置が前記気象に関連する観測データから恩恵を受けたことを、前記遠隔の装置に送信するステップ、を含む、
請求項１〜７のいずれか一項に記載の方法。
【請求項９】
前記画像は、第２の場所に関連付けられた第２の画素を含み、
前記方法は、
第２の遠隔の装置から、前記第２の遠隔の装置の第２のユーザにより入力された第２の気象に関連する観測データを受信するステップであって、前記第２の気象に関連する観測データは、前記第２の場所における第２の気象関連事象を示す、ステップと、
前記第２の気象に関連する観測データ及び第２の重みに基づいて前記第２の画素を第２の値に設定するステップであって、前記第２の重みは前記第２のユーザに関連付けられた第２の信用性の評価に基づいて決定される、ステップと、を含む、
請求項１〜８のいずれか一項に記載の方法。
【請求項１０】
前記受信された気象に関連する観測データを記憶するステップと、
前記記憶された気象に関連する観測データに関連付けられた統計を生成するステップであって、前記統計は、前記天気予報を受信した遠隔の装置の数を示す情報を含む、ステップと、
前記統計の少なくとも一部を前記遠隔の装置に出力するステップと、を含む、
請求項１〜９のいずれか一項に記載の方法。
【請求項１１】
記気象に関連する観測データの客観的な気象データとの比較は、前記客観的な気象データに基づいて前記気象に関連する観測データが発生することにより示される前記気象関連事象の可能性を判定すること含む、
請求項１〜１０のいずれか一項に記載の方法。
【請求項１２】
前記客観的な気象データは、温度または気圧を示し、前記気象関連事象は、降雪を含む、請求項１〜１１のいずれか一項に記載の方法。
【発明の詳細な説明】
【技術分野】
【０００１】
[0002]本明細書に開示される主題は、一般には、天気予報を生成する方法に関する。より詳細には、本開示の主題は、天気予報を生成するソフトウェアアプリケーションに関する。
【関連出願の相互参照】
【０００２】
[0001]本願は、本願の出願人に共有され、共同で発明された、２０１３年４月４日に出願された米国特許出願第１３／８５６，９２３号、２０１３年６月２０日に出願された米国特許出願第１３／９２２，８００号、２０１３年７月２２日に出願された米国特許出願第１３／９４７，３３１号、２０１３年６月２６日に出願された米国仮出願第６１／８３９，６７５号、２０１３年６月１６日に出願された米国仮出願第６１／８３５，６２６号、及び、２０１３年６月１９日に出願された米国仮出願第６１／８３６，７１３号に対する優先権を主張し、それらの全開示内容は参照により本明細書に組み込まれる。
【背景技術】
【０００３】
［関連する従来技術］
[0003]天気予報を生成するシステムで現在利用可能なものはプッシュ型のシステムしかない。すなわち、システムがセンサやデータベース等から情報を収集し、その情報に基づいて天気予報を生成し、その天気予報をユーザにプッシュする。
【０００４】
[0004]ユーザはしばしば予報が自分の所在地には正確でないと感じ、予報の生成者は、自分が生成した予報が本当に正確であるかどうかを判断する手段を持たない。
【０００５】
[0005]当市場では、天気予報が生成される対象区域にいる、場合によってはユーザでもある観測者から情報をプルすることにより天気予報の正確度を向上させる助けとすることが必要とされている。
【発明の概要】
【０００６】
[0006]コンピュータによって実施される方法を提供することができ、この方法は、遠隔の装置から、第１の場所及び第１の時間に関連付けられた気象に関連する観測データを受信するステップであって、気象に関連する観測データは、第１の場所及び第１の時間に関連付けられた気象関連事象を観測することによって取得されたデータを含む、ステップと、気象に関連する観測データに基づいて、第２の場所及び第２の時間に関連付けられた天気予報を生成するステップと、天気予報を遠隔の装置に出力するステップとを含む。
【０００７】
[0007]実施形態によっては、上記方法は、第２の場所の画像を形成するステップを含むことができ、画像は天気予報値に関連付けられた画素を含む。
【０００８】
[0008]実施形態によっては、上記方法は、第２の場所の少なくとも２つの画像を形成するステップを含むことができ、画像は各々異なる時間に関連付けられている。
【０００９】
[0009]実施形態によっては、気象関連事象は、雹、風、稲妻、温度、降水、及び日光の強度、の少なくとも１つからなることができる。
【００１０】
[0010]実施形態によっては、上記方法は、気象に関連する観測データに基づいて、画素に関連付けられた天気予報値に変更を加えるステップを含むことができる。
【００１１】
[0011]実施形態によっては、気象関連事象は、遠隔の装置を操作するユーザによって観測され、ユーザが遠隔の装置から気象に関連する観測データを送信させる。
【００１２】
[0012]実施形態によっては、遠隔の装置は、気象関連事象の観測を検出すると、気象に関連する観測データを自動的に送信することができる。
【００１３】
[0013]実施形態によっては、上記方法は、第２の遠隔の装置から、第３の場所及び第３の時間に関連付けられた第２の気象に関連する観測データを受信するステップを含むことができ、第２の気象に関連する観測データは、第３の場所及び第３の時間に関連付けられた気象関連事象を観測することによって取得されたデータを含み、第２の場所及び第２の時間に関連付けられた天気予報は、第１の場所及び第１の時間に関連付けられた気象に関連する観測データと、第３の場所及び第３の時間に関連付けられた第２の気象に関連する観測データとの両方に基づいて生成される。
【００１４】
[0014]実施形態によっては、上記方法は、受信された気象に関連する観測データを記憶するステップと、記憶された気象に関連する観測データについての統計を生成するステップであって、統計は、天気予報を受信した遠隔の装置の数を示す情報を含む、ステップと、統計の少なくとも一部を遠隔の装置に出力するステップとを含むことができる。
【００１５】
[0015]実施形態によっては、上記方法は、気象に関連する観測データを事前に記憶された気象データと比較するステップと、比較に基づいて、天気予報の生成に影響する、気象に関連する観測データの重みを決定するステップとを含むことができる。
【００１６】
[0016]実施形態によっては、上記方法は、遠隔の装置に関連付けられる信用性の評価を生成するステップと、信用性の評価に基づいて、天気予報の生成に影響する、遠隔の装置から受信された気象に関連する観測データの重みを決定するステップとを含むことができる。それに加えて、又はそれに代えて、１つ又は複数の遠隔の装置を操作している、又はその他の形で１つ又は複数の遠隔の装置に関連付けられているユーザに信用性の評価を割り当てることもできる。
【００１７】
[0017]他の実施形態では、天気予報を精密化する方法を提供することができ、この方法は、特定の位置及び所与の時間における気象に関連する観測結果を取得するステップと、その気象に関連する観測結果を使用して、地球上の特定の地域のグリッド画像を形成するステップであって、グリッド画像は画素からなり、各画素は値を有し、その値は気象値に対応し、その気象値は天気予報に対応する、ステップとを含み、グリッド画像を形成するステップは、複数のグリッド画像を形成することを含み、各グリッド画像はある瞬時に対応する。
【００１８】
[0018]さらに、所与の時間の特定の位置における気象関連事象の存在を予想する方法も提供することができる。実施形態によっては、この方法は、その特定の位置及び所与の時間における気象関連事象の気象に関連する観測結果を取得するステップと、気象に関連する観測結果に基づいて、グリッド画像中の気象値を変更又は確定するステップと、変更又は確定後の気象値を使用して天気予報を生成するステップとを含むことができる。
【００１９】
[0019]他の実施形態では、観測者からの貢献を天気予報で使用する方法を提供することができる。この方法は、観測者から気象に関連する観測結果を取得するステップであって、各観測は特定の位置で所与の時間に行われる、ステップと、観測者から得た気象に関連する観測結果を使用して、ユーザに対して将来の天気予報を生成するステップと、観測者から得た気象に関連する観測結果、天気予報、及び観測結果から恩恵を受けたユーザ、についての統計を計算するステップと、観測者の少なくとも１人から取得された気象に関連する観測結果についての統計の少なくとも一部を含むメッセージを、観測者の少なくとも１人に送信するステップとを含むことができる。
【００２０】
[0020]実施形態によっては、１つ又は複数のプロセッサと、１つ又は複数のプロセッサによって実行されることが可能なコンピュータ命令を記憶したメモリとを備える装置を提供することができ、それらの命令が実行されると、装置に、上記の方法の１つ又は複数を行わせる。さらに、そのような命令を記憶した非一時的なコンピュータ読取り可能媒体を提供することができる。この装置は、これらに限られないが、手持ち型の装置、携帯電話、車両等のモバイル装置である。
【００２１】
[0021]本開示のさらに他の特徴及び利点は、添付図面と併せて以下の詳細な説明を読むことにより明らかになろう。
【図面の簡単な説明】
【００２２】
【図１Ａ】一実施形態による、地点観測を使用して天気予報を生成するシステム（ナウキャスター（nowcaster））のブロック図の例を示す図である。
【図１Ｂ】別の実施形態による、地点観測を使用して天気予報を生成するシステム（ナウキャスター）のブロック図の例を示す図である。
【図１Ｃ】別の実施形態による、地点観測を使用して天気予報を生成するシステム（ナウキャスター）のブロック図の例を示す図である。
【図２】一実施形態による、観測結果から天気予報を生成する、クラウドソーシングによる気象観測の方法のフローチャートの例を示す図である。
【図３】一実施形態による地点観測及び気象レーダのデータに基づいて雹を予想する方法のフローチャートの例を示す図である。
【図４】一実施形態による、観測者からの貢献を天気予報で使用する方法のフローチャートの例を示す図である。
【図５Ａ】一実施形態による、天気予報を提示し、観測者から地点観測の結果を取得するために使用されるアプリケーションの例を示す画面例の図である。
【図５Ｂ】一実施形態による、天気予報を提示し、観測者から地点観測の結果を取得するために使用されるアプリケーションの例を示す画面例の図である。
【図５Ｃ】一実施形態による、天気予報を提示し、観測者から地点観測の結果を取得するために使用されるアプリケーションの例を示す画面例の図である。
【図５Ｄ】一実施形態による、天気予報を提示し、観測者から地点観測の結果を取得するために使用されるアプリケーションの例を示す画面例の図である。
【図６】実施形態を実施することが可能なネットワーク環境の例を示す図である。
【図７】請求される主題の実施形態を実施することができる適切なコンピューティング動作環境の例示的な図である。
【発明を実施するための形態】
【００２３】
[0031]すべての添付図面で、同様の特徴は同様の参照符号で識別されることに留意されたい。
【００２４】
[0032]以下に本願の一部をなす添付図面を参照して実施形態をより完全に説明するが、添付図面には、実施形態を実施することができる特定の実施形態を例示として示す。それらの実施形態は、本開示が特許請求される主題の範囲を当業者に伝えるようにも説明される。ただし、それらの実施形態は、多数の異なる形態で具現化することも可能であり、本明細書に述べられる実施形態に限定されるものとは解釈すべきでない。
【００２５】
[0033]本発明の実施形態は特に方法又は装置として具現化することができる。したがって、実施形態は、完全にハードウェアによる実施形態、完全にソフトウェアによる実施形態、及びソフトウェアとハードウェアの態様を組み合わせた実施形態等の形態を取ることができる。さらに、実施形態については携帯型又は手持ち型の装置を参照して説明するが、デスクトップ、ラップトップコンピュータ、タブレット装置、又はそれらの実施形態を実装するのに十分な演算資源を有する他のコンピューティング装置上で実装することもできる。
【００２６】
[0034]定義
【００２７】
[0035]本明細書では、以下の用語は下記のように定義されるものとする。
【００２８】
[0036]短時間予報（nowcast）：用語「nowcast」は、「now」と「forecast」の短縮形であり、典型的には０〜１２時間の範囲の短期間の予報を行うために考案された一連の技術を指す。
【００２９】
[0037]ナウキャスターは、地球上の非常に狭い領域（５メートル、１０メートル、５０メートル、１００メートル、５００メートル、１０００メートル等）である所与の区域について、非常に短期間の予報（例えば１分、５分、１５分、３０分等）を作成する天気予報装置である。
【００３０】
[0038]気象値は、温度、気圧、視程、降水の種類及び強度、積雪、雲量、風など、気象に関連する任意種類の数量又は属性である。
【００３１】
[0039]予想気象値は、ナウキャスターによって予測される気象値である。
【００３２】
[0040]気象関連事象は、例えば、雹、突風、稲妻、温度変化等の少なくとも１つである。
【００３３】
[0041]降水の種類（ＰＴｙｐｅ）：降水の種類を表す。降水の種類の例には、これらに限定されないが、雨、雪、雹（ひょう）、雨氷、凍雨、氷晶等が含まれる。
【００３４】
[0042]降水量（ＰＲａｔｅ）：降水の強度を表す。降水量値の例には、これらに限定されないが、「なし」（すなわち降水なし）、「弱い」、「中程度」、「強い」、「極めて強い」等が含まれる。一実施形態では、降水量は値の範囲として表すこともでき、「降水なし」から「弱い」、「弱い」から「中程度」、「中程度」から「強い」、又はそれらの任意の組合せ等を表すこともできる。
【００３５】
[0043]降水確率：降水が発生する確率を表す。降水確率値の例には、これらに限定されないが、「可能性は全くない」、「見込みはあまりない」、「低い可能性がある」、「可能性がある」、「見込みが高い」、「見込みが非常に高い」、「確実」等が含まれる。
【００３６】
[0044]一実施形態では、降水確率は、「降水なし」から「弱い」、「弱い」から「中程度」、「中程度」から又は「強い」等、値の範囲として表すこともできる。降水確率は、例えば０％、２５％、５０％、７５％、１００％等の百分率、又は例えば０％〜２５％、２５％〜５０％、５０％〜７５％、７５％〜１００％等の百分率の範囲で表すこともできる。一実施形態では、降水確率は、確率分布から求めることができる。
【００３７】
[0045]降水種類及び降水量カテゴリ（ＰＴｙｐｅＲａｔｅ）：ＰＴｙｐｅＲａｔｅカテゴリは、降水の種類と降水量の組合せであり、それに所与の期間の発生の確率を関連付けて、特定の降水量で特定種類の降水を受ける可能性を表すことができる。
【００３８】
[0046]天気予報は、ユーザに表示することが可能な１つ又は複数の予想気象値のセットである。
【００３９】
[0047]気象に関連する観測結果は、画像、映像、自由形式のテキスト（ツイート、メッセージ、電子メール等）や、温度、気圧、視程、降水の種類及び強度、積雪、雲量、風などの任意種類の気象値である。
【００４０】
[0048]地点観測は、本明細書の定義では、所与の時間に特定の位置（「場所」と呼ぶこともある）で行われる観測である。
【００４１】
[0049]特定の位置は、観測が行われる地球上の位置である。本明細書に記載される実施形態には５メートル〜１０メートルの精度が適するが、位置の変化量は、２５メートル、５０メートル、１００メートル、１０００メートル又はそれ以上など、より大きくすることもできる（例えば精度がより低くなる）。特定の位置を取得する手段には、本特許出願の出願時に利用することができる任意種類の地理位置特定手段又は測位システムが含まれる。地理位置特定手段又は測位システムは自動化される場合も、自動化されない場合もある。自動化された地理位置特定手段又は測位システムには、全地球測位システム、ＲＦ位置特定システム、無線標定技術、インターネットプロトコル（ＩＰ）アドレス、ＭＡＣアドレス、ＷｉＦｉ、無線周波識別（ＲＦＩＤ）等が含まれる。測位システムは、街路上の所在地、交差点、建物や目印となる物等を提供するなど、人手によることもできる。
【００４２】
[0050]所与の時間は、特定の位置に対応する時間帯で地点観測が行われる、時、分、及び秒と定義される。所与の時間の時、分、及び秒は、所与の時間がその特定の位置に依存しないように、協定世界時（ＵＴＣ）やグリニッジ標準時（ＧＭＴ）に従って記録することもできる。所与の時間の精度は、１秒よりも大きく、又は１秒よりも小さくすることもできる。例えば、実施形態によっては、５秒、１０秒、３０秒、６０秒等の精度で、本明細書に記載される実施形態には十分である場合もある。
【００４３】
[0051]ユーザは、天気予報が転送される対象の個人である。観測者は、自動化された観測結果及び／又は人手による観測結果を提供するエンティティである。観測者は、人間である場合も、自動化された機械である場合もある。観測者は、本明細書で定義されるようにユーザである場合もある。
【００４４】
[0052]グリッド画像は、緯度及び経度の座標を含む画像である。したがって、グリッド画像は、地理位置が特定された２次元の点Ｉ画素の集まりである。
【００４５】
[0053]グリッド画像中の各画素は１つの位置に対応し、単一の気象値を表すことも、値の確率分布を表すことも、信頼度を表すこともできる。
【００４６】
[0054]簡単に述べると、ここで説明する実施形態は、各種の気象値だけでなく、特定の場所で特定の時間に行われた実際の観測結果を考慮することによってより正確な天気予報を生成する、コンピュータによって実施される方法及びシステムを記載する。そのような観測は、自動化して自動的にデータベースにプッシュすることも、又は、ユーザが自分が行った観測を個々に報告するなど、ユーザ主導型とすることもできる。
【００４７】
[0055]ナウキャスター
【００４８】
[0056]図１Ａ〜図１Ｃは、ここで説明するナウキャスターのブロック図の例である。
【００４９】
[0057]図１Ａ〜図１Ｃに示すように、ナウキャスター２００は、種々のデータ源２０１から気象観測結果を受け取り、それらのデータ源は、これらに限定されないが、地点観測２０１−２（例えばユーザや自動ステーションから得られるフィードバック）、気象レーダ２０１−３、衛星２０１−４、及び他の種類の気象観測２０１−１を含む気象観測データ源と、数値気象予測（ＮＷＰ）モデルの出力２０１−５や天気予報及び注意報２０１−６などの天気予報データ源などである。
【００５０】
[0058]ナウキャスター２００は、メモリ２２０及びプロセッサ２１０を備える。メモリ２２０は、本方法のための命令を含み、また気象データ源２０１からのデータ、中間結果、及び天気予報も記憶する。プロセッサ２１０は、ナウキャスター２００が計算を行うことを可能にする。
【００５１】
[0059]ナウキャスター２００は、通信ネットワーク２５４を通じてユーザ１５０から情報２３０を受信することができる。一実施形態によると、この情報２３０は、選択された時間の増加単位である。
【００５２】
[0060]ナウキャスター２００は、１件の天気予報又は一続きの天気予報を出力する。
【００５３】
[0061]図１Ｂはナウキャスター２００の一実施形態である。この実施形態では、ナウキャスター２００は、ＰＴｙｐｅ分布予想器２０２及びＰＲａｔｅ分布予想器２０４を備える。ＰＴｙｐｅ予想器２０２は、種々のデータ源２０１から気象観測結果を受け取り、所与の緯度及び経度（並びに／又は場所）について任意の時間間隔にわたる降水種類の確率分布を出力する。例えば、
ａ．雪：１０％
ｂ．雨：３０％
ｃ．雨氷：６０％
ｄ．雹：０％
ｅ．凍雨：０％
【００５４】
[0062]同様に、ＰＲａｔｅ予想器２０４は種々のデータ源２０１から所与の経度及び緯度についての気象観測結果を受け取り、不確実性を表す表現で降水量の確率分布の予想（ＰＲａｔｅ）を出力する。例えば、ＰＲａｔｅは、所与の経度及び緯度についての一定の時間間隔にわたる降水量又は降水量の範囲の確率分布として出力される。例えば以下のようになる。
ｆ．降水なし：３０％
ｇ．弱い降水：４０％
ｈ．中程度の降水：２０％
ｉ．強い降水：１０％
【００５５】
[0063]ＰＲａｔｅ予想器２０４及びＰＴｙｐｅ予想器２０２から出力されたＰＲａｔｅ及びＰＴｙｐｅの値は予想組合せ器２０６に送られて、それらの値を組み合わせて、降水の結果を表す単一の値ＰＴｙｐｅＲａｔｅにする。例えば、ＰＴｙｐｅの値が「雪」で、「ＰＲａｔｅ」の値が「強い」であれば、組み合わせられたＰＴｙｐｅＲａｔｅの値は「強い雪」になる。
【００５６】
[0064]所与の緯度及び経度について、システムは、事前に定義された時間間隔の予想ＰＴｙｐｅＲａｔｅの分布を出力し、時間間隔は、固定する（例えば１分）か、又は可変（例えば１分、次いで５分、次いで１０分等）にすることができる。システムは、一連の時間間隔にわたる予想ＰＴｙｐｅＲａｔｅの分布を予め計算して記憶しておくことも、実時間で計算することもできる。ＰＴｙｐｅＲａｔｅの分布は、時間間隔ごとに、あるＰＴｙｐｅＲａｔｅが発生する確実性又は不確実性を表す。
【００５７】
[0065]図１Ｂを参照すると、予想組合せ器２０６は、ＰＴｙｐｅ予想器２０２から最終的なＰＲａｔｅの分布を、ＰＲａｔｅ予想器２０４から最終的なＰＲａｔｅの分布を受け取って、それらを組み合わせてＰＴｙｐｅＲａｔｅ分布値のグループにし、各グループは、ある降水量である種類の降水を受ける確率を表す。一例を以下に提供する。
【００５８】
[0066]ＰＴｙｐｅ分布が、雪：５０％、雨０％、雨氷：３０％、雹：０％、凍雨：２０％で、ＰＲａｔｅ分布が、降水なし：０％、弱い：１０％、中程度：２０％、強い：３０％、非常に強い：４０％であるとすると、ＰＴｙｐｅＲａｔｅ分布は例えば次のようになる。
【表１】
2018163159.tif 000003
【００５９】
[0067]したがって、予想組合せ器２０６は各種類の降水の確率に各降水量の確率を乗算して、例えば２０％の強い雪の可能性、１２％の非常に強い雨氷の可能性など、ある降水量である種類の降水を受ける確率を得る。一実施形態では、確率の範囲にテキスト情報を関連付けて、確率を数字で表示する代わりに、テキスト情報をユーザに表示することができる。例えば、５％〜１５％の間の確率は「低い可能性」というテキストに関連付け、４０％〜７０％の間の確率は「高い可能性」又は「非常に見込みが高い」等のテキストに関連付け、それにより「６０％の強い雪の可能性」と表示する代わりに、「強い雪の可能性が高い」と表示することができる。
【００６０】
[0068]別の実施形態では、１つ又は複数の次元（次元は降水量、種類、又は確率を含む）に沿って２つ以上の異なるＰＴｙｐｅＲａｔｅを組み合わせることが可能である。例えば、そのような組合せの結果には、弱い雨から中程度の雨の見込みが高い、弱い雨又は雪から中程度の雨又は強い雪の見込みが高い、中程度の雨又は雪の見込みが高い、雨又は雪の見込みが高い、弱い雨から中程度の雨又は強い雪又は弱い雹の可能性がある、中程度の雨、雪、又は雹の可能性がある、雨、雪、又は雹の可能性がある、等が含まれる可能性がある。
【００６１】
[0069]したがって、ナウキャスター２００は、短時間予報が必要とされる場所、並びに短時間予報が必要とされる時間及び／又は時間間隔を受け取り、その場所及び特定の時間についてのＰＴｙｐｅＲａｔｅの分布を出力する。
【００６２】
[0070]図１Ｃは、ナウキャスター２００の別の実施形態を示す。この実施形態では、ナウキャスター２００は、ＰＴｙｐｅ選択器／受信器２０２−Ｃ、及びＰＲａｔｅ分布予想器２０４を有する。
【００６３】
[0071]図１Ｂに示す実施形態と同様に、ＰＲａｔｅ分布予想器２０４は、種々のデータ源２０１から所与の緯度及び経度についての気象観測結果を受け取り、不確実性を表す表現で降水量（ＰＲａｔｅ）の確率分布の予想を出力する。例えば、ＰＲａｔｅは、所与の緯度及び経度における任意の時間間隔にわたる降水量又は降水量の範囲の確率分布として出力することができる。例えば、
ｆ．降水なし：３０％
ｇ．弱い：４０％
ｈ．中程度：２０％
ｉ．強い：１０％
となる。
【００６４】
[0072]ただし、ＰＴｙｐｅ選択器／受信器２０２−Ｃは、種々の降水種類に関連付けられた確率分布は出力しない。代わりに、ＰＴｙｐｅ選択器／受信器２０２−Ｃは、所与の緯度及び経度に対応する気象観測結果を種々のデータ源２０１から受け取って、様々な降水種類の一覧から１つの降水種類を選択する。例えば、データ源２０１から受け取られた入力に基づいて、ＰＴｙｐｅ選択器／受信器２０２−Ｃは、下記の降水種類の一覧から、当該の緯度及び経度（並びに／又は場所）で発生する可能性が最も高い単一の降水種類を選択する。
ａ．雪
ｂ．雨
ｃ．雨氷
ｄ．雹
ｅ．凍雨
ｆ．それらの混合（例えばａ＋ｃ、ａ＋ｄ、ｂ＋ｃ、ａ＋ｅ、ｃ＋ｅ、ｄ＋ｅ等）
【００６５】
[0073]上記のような降水種類の一覧から、所与の場所に対して１つのみの降水種類が選択される。例えば、所与の時間に所与の場所で最も可能性の高い降水種類として雪と雨氷の混合が選択される可能性がある。降水種類は確率値には関連付けられない。つまり、任意の場所とその場所に対応する時間について１つだけの降水種類が選択されるので、選択された降水種類は実質的に１００％の確率値を有することになる。
【００６６】
[0074]１つの種類を選択するために利用できる降水種類の一覧は、２つの異なる降水種類（例えば雪と雨氷、雹と凍雨等）の混合を表す混合タイプを含むことができる。混合タイプは、選択することが可能な独立した降水種類と考えられ、上記一覧の（ｆ）に示すように、様々な降水種類の異なる組の混合を表す異なる混合タイプは、多数存在する可能性がある。
【００６７】
[0075]別の実施形態では、降水の種類はＰＴｙｐｅ選択器／受信器２０２−Ｃによって選択されるのではなく、ナウキャスター２００の外部にあるデータ源から受け取られる。言い換えると、ナウキャスター２００は、遠隔のデータ源（例えば第三者の気象サービス）に、所与の時間に所与の場所で発生する可能性が最も高い降水種類を特定することを要求し、最も可能性の高い降水種類を特定する応答をデータ源から受け取ることができる。この場合、降水種類の選択はナウキャスター２００によっては行われない。ナウキャスター２００には単に既に選択された降水種類が入力され、それにより、選択を行う場合に必要となるナウキャスター２００の演算力を節減することができる。
【００６８】
[0076]それぞれＰＴｙｐｅ選択器／受信器２０２−Ｃ及びＰＲａｔｅ分布予想器２０４から出力された、選択された降水種類とＰＲａｔｅ値が組み合わせられる。例えば、選択された降水の種類が雪で、ＰＲａｔｅ値が上記のような値である場合、組み合わせた情報は次のようになる。
ａ．降雪なし：３０％
ｂ．弱い雪：４０％
ｃ．中程度の雪：２０％
ｄ．強い雪：１０％
【００６９】
[0077]関係する降水種類が１つのみであるため、組合せを行って最終的な天気予報データを出力するために必要とされる演算力が最小量で済む。ＰＴｙｐｅ選択器／受信器２０２−Ｃは所与の場所と時間について一つ（１）の降水種類を出力するので、ＰＲａｔｅ分布予想器２０４がｍ個の数の確率分布を出力した場合、最終的な天気予報データはｍ（ｍ＊１）個のみの天気予報分布を含む。
【００７０】
[0078]最終的な天気予報データを出力する際に、図１Ｂに示した実施形態と同様に、確率の範囲にテキスト情報を関連付けて、確率を数で表示する代わりにテキスト情報をユーザに表示することができる。例えば、５％〜１５％の確率は「低い可能性」というテキストに関連付け、４０％〜７０％の確率は「高い可能性」又は「非常に高い見込み」などのテキストに関連付け、それにより、「６０％の強い雪の可能性」と表示する代わりに、「強い雪の可能性が高い」と表示することができる。
【００７１】
[0079]したがって、ナウキャスター２００は、短時間予報が必要とされる場所、並びに短時間予報が必要とされる時間及び／又は時間間隔を受け取り、その場所及び特定の時間について、選択されたＰＴｙｐｅ及びＰＲａｔｅの分布を出力する。
【００７２】
[0080]図１Ｃに示す実施形態によるナウキャスターは、効率性が要求される状況では図１Ｂに示す実施形態よりも有利である可能性がある。図１Ｃの実施形態は、図１Ｂの実施形態に比べてはるかに少ない処理力を使用して実装することができる。しかし、図１Ｂの実施形態は、所与の場所及び時間についてのより詳細で正確な天気予報データのスナップショットを提供することにおいては図１Ｃの実施形態よりも適する可能性がある。
【００７３】
[0081]クラウドソーシングによる気象観測
【００７４】
[0082]簡単に述べると、ここで説明する実施形態は、ユーザ及び／又は自動化された機械から気象に関連する観測結果（又は単に「観測結果」）を収集し、それを管理して、天気予報を行うための観測モザイク（例えばモザイク）を生成するシステム及び／又は方法を記載する。このシステムは、ジオタグが付与された観測結果をデータベースに送信する多数の自動化された観測データ源及び／又は人手による観測データ源（例えば観測者）を備える。モザイクビルダーが、観測結果を取り込んで、地球上の特定の地域（例えばドメイン）のグリッド画像（例えばモザイク）を形成し、それにより、そのドメイン内の各画素に気象値の「最良の推測（best-guess）」を作成する。図１Ａ〜図１Ｃに示すナウキャスターの実施形態は、ユーザの観測データ（例えば２０１−２）を入力として取り込み、所与の時間における所与の場所の最も正確な予想降水種類及び降水量の分布を予測するか、又はその他の方法で特定する。
【００７５】
[0083]モザイクを構築するために、モザイクビルダーは、観測の時間及び位置に基づいて、含める観測結果を選択する。各観測結果は、モザイク上で、提供された地理的場所に正確に配置される。
【００７６】
[0084]その観測結果の周辺の領域が定義される（観測領域）。観測領域内の各地点は、観測の距離、観測の時間、観測者の信用性及び信頼性の要因、並びにその他の要因などの各種の要因に基づいて、モザイクに寄与することができる。
【００７７】
[0085]次いで図２を参照すると、一実施形態による、観測結果から天気予報を生成するクラウドソーシングによる気象観測の方法３００のフローチャートが示される。
【００７８】
[0086]方法３００は、
特定の位置及び所与の時間における気象に関連する観測結果を取得するステップ（例えばステップ３０２）、
その気象に関連する観測結果をデータベースに保存するステップ（例えばステップ３０４）、及び
気象に関連する観測結果を使用して、地球上の特定の地域のグリッド画像を形成するステップであって、グリッド画像は画素からなり、各画素は値を有し、その値は気象値に対応し、その気象値は天気予報に対応する、ステップ（例えばステップ３０６）
を含む。
【００７９】
[0087]方法３００の別の実施形態によると、気象に関連する観測結果を取得するステップは、自動化されるか、又は観測者によって行われる。
【００８０】
[0088]別の実施形態によると、重複した観測領域に対処するための機構が提供される。例えば、観測結果はデータベースに報告される。観測結果には特定の場所及び時間をタグ付けして、同じ場所で行われた第２の観測結果が後に報告された時に、それを第１の報告観測結果と関連付けられるようにする。第２の観測が、第１の観測が行われた時間からごく短い時間内にある時間に行われた場合、第２の観測は冗長な報告として無視することができる。
【００８１】
[0089]別の実施形態によると、気象観測結果の信用度及び信頼性を評価する機構が提供される。例えば、報告が、事前に記憶された気象データと矛盾する情報を含む場合（例えば、ユーザが特定の時間に特定の場所で雪を報告しているが、温度や気圧等の他の客観的な気象データは、その場所及び時間に雪の可能性はないことを示す場合）には、そのユーザには下げた信用性の評価が与えられる。事前に記憶された気象データは、客観的な気象データ源から得られたデータのみを含み、ユーザから個々に報告されたデータは含まないようにすることもできる。信用性の評価は段階で提供することができ、信用性の評価が閾値を下回るデータ源からの報告はすべて無視することもできる。
【００８２】
[0090]別の実施形態によると、気象の短時間予報システムでモザイクを使用することができる。
【００８３】
[0091]地点観測に基づく雹の予報
【００８４】
[0092]簡単に述べると、ここで説明する実施形態は、雹の観測結果、変位場（例えば流れ場）、及び場合によっては気象レーダのデータを使用して雹を予報するシステム及び／又は方法を記載する。雹事象の位置及び時間（例えば観測結果）がコンピュータに送信される。コンピュータは、気象レーダのシグネチャ（signature）がその雹の観測結果と整合するかどうかを判定することを試みる。整合する場合は、レーダのシグネチャを使用して、又は使用せずに、領域（例えば雹域）が作成され、レーダから捕捉された降水の動きを分析し、その動きに沿って雹域を変位させることにより、今後の雹を予想する。レーダ相関が存在しない場合は、レーダを使用せずに領域（例えば雹域）を作成する。どちらの場合も、雹域には、時間又は元の雹が観測された場所からの距離に応じて変更を加えることができる。時間若しくは元の雹が観測された場所からの距離、又はその他のパラメータに応じて信頼度スコアを生成することもできる。
【００８５】
[0093]次いで図３を参照すると、一実施形態による、地点観測及び気象レーダのデータに基づいて雹を予報する方法３２０のフローチャートが示される。
【００８６】
[0094]ここで、雹は気象関連事象の一例に過ぎないことに留意されたい。ここで図３及び他の図に沿って説明する実施形態は、本明細書で定義される、又は当業者に知られる他種の気象関連事象にも適用できることを理解されたい。
【００８７】
[0095]方法３２０は、
特定の位置及び所与の時間における雹の観測結果を取得するステップ（例えばステップ３２２）、
その雹の観測結果に基づいて、グリッド画像中の気象値を変更又は確定するステップ（例えばステップ３２４）、及び
変更又は確定後の気象値を使用して天気予報を生成するステップ（例えばステップ３２６）
を含む。
【００８８】
[0096]別の実施形態によると、方法３２０は、気象値を使用してグリッド画像の領域内に雹域を作成又は確定するステップをさらに含む。
【００８９】
[0097]別の実施形態によると、方法３２０は、グリッド画像の領域の中又は周辺の気象値の変位場を取得し、雹域の動きを分析し、雹域の動きに基づいて天気予報を精密化するステップをさらに含む。
【００９０】
[0098]別の実施形態によると、方法３２０は、所与の時間における特定の位置のグリッド画像中の気象レーダのシグネチャが雹の観測に相当するかどうかを判定するステップをさらに含み、その判定に基づいて、気象値を変更するか、及び／又は気象値の信頼度スコアを計算することができる。
【００９１】
[0099]観測者からの貢献を天気予報で使用する
【００９２】
[00100]簡単に述べると、ここで説明する実施形態は、予報の計算に貢献したユーザに、どのくらい他の人がその貢献の恩恵を受けたかを報告するシステム及び方法を記載する。
【００９３】
[00101]ユーザが、予報を行うコンピュータに送信される気象事象の位置と時間を知らせることによって観測を行う（観測者）。予報コンピュータは、その観測者からの情報を使用して、将来のある期間についての予報を計算する。
【００９４】
[00102]予報を求めるユーザからの各要求を分析して、そのユーザへの予報に貢献した観測者のリストを生成する。そして、各観測者に、その観測者の観測の恩恵を受けた人の数（及び他のユーザ特性）を知らせる。
【００９５】
[00103]その情報から順位表を構築することができる。観測者には、影響を与えたユーザの数に基づいて、賞、又は地位の獲得、又はバッジを付与することができる。
【００９６】
[00104]次いで図４を参照すると、一実施形態による、観測者からの貢献を天気予報で使用する方法３３０のフローチャートが示される。
【００９７】
[00105]方法３３０は、
観測者から気象に関連する観測結果を取得するステップであって、各観測は特定の位置で所与の時間に行われる、ステップ（例えばステップ３３２）、
観測者から得た気象に関連する観測結果を使用して、ユーザに対して将来の天気予報を生成するステップ（例えばステップ３３４）、
観測者から得た気象に関連する観測結果についての統計を計算するステップ（例えばステップ３３６）、及び
観測者の少なくとも１人から取得された気象に関連する観測結果についての統計の少なくとも一部を含むメッセージを、観測者の少なくとも１人に送信するステップ（例えばステップ３３８）
を含む。
【００９８】
[00106]別の実施形態によると、方法３３０は、気象に関連する観測結果をデータベースに保存するステップをさらに含む。
【００９９】
[00107]方法３３０の別の実施形態によると、統計を計算するステップは、気象に関連する観測結果から、上記ユーザへの将来の天気予報に貢献した観測者、及びその天気予報の恩恵を受けたユーザの選択された群を生成することを含む。
【０１００】
[00108]方法３３０の別の実施形態によると、統計を計算するステップは、気象に関連する観測結果から、観測者の１人又は複数について、観測者の当該１人又は複数による観測結果が将来の天気予報を生成する際に使用されたユーザのリストを生成することを含む。
【０１０１】
[00109]方法３３０の別の実施形態によると、統計を計算するステップは、気象に関連する観測結果から、観測者ごとに、それぞれの観測者によって行われた観測の信頼度を生成することを含む。
【０１０２】
[00110]方法３３０の別の実施形態によると、統計を計算するステップは、気象に関連する観測結果から、且つ観測の回数及び観測の信頼度の少なくとも一方から、観測者の順位付けリストを生成することを含む。
【０１０３】
[00111]別の実施形態によると、方法３３０は、順位付けリストに基づいて観測者の少なくとも１人に優位な立場を与えるステップをさらに含む。
【０１０４】
[00112]次いで図５Ａ〜図５Ｄを参照すると、一実施形態による、天気予報を提示し、観測者から地点観測の結果を取得するために使用されるアプリケーションの画面例が示される。
【０１０５】
[00113]より具体的には、図５Ａは短時間予報アプリケーションの画面例である。この画面例は、右上の隅に「目」のアイコンを示している。この「目」のアイコンは、観測結果をシステムに入力できることをユーザに知らせるものである。「目」のアイコンを選択すると、地点観測ページ（図５Ｂ及び５Ｃ参照）が表示される。
【０１０６】
[00114]図５Ｂ及び図５Ｃは、地点観測を行うための選択肢を観測者に与える短時間予報アプリケーションのページの画面例である。
【０１０７】
[00115]図５Ｄは、「晴れ（Sunny）」が選択されたことを示す画面例である。地点観測が選択されたため、「送信（Submit）」ボタンが有効になっている。「送信」ボタンが選択されると、観測者の選択を確定する確定ページを提供することができる。確定されると、地点観測結果がナウキャスターに送信される。
【０１０８】
[00116]図６は、実施形態を実施することが可能なネットワーク環境の例である。システム２００（例えば「ナウキャスター」）は、遠隔通信ネットワーク２５４を通じて複数のクライアントコンピュータ２５２からアクセスできるサーバ／コンピュータ２５０で実装することができる。クライアントコンピュータは、これらに限定されないが、ラップトップ、デスクトップ、携帯型コンピューティング装置、タブレット等を含むことができる。クライアントコンピュータ２５２を使用して、各ユーザは、短時間予報を受け取りたい時間間隔と、短時間予報が必要とされる場所を指定することができる。例えば、ユーザは、短時間予報が必要とされる時間間隔と併せて、短時間予報が必要とされる場所の郵便番号、住所、地図上の位置又は緯度及び経度を入力することができる。時間間隔は１分〜数時間の間に及ぶことができる。
【０１０９】
[0117]場所情報及び時間情報を受け取ると、サーバ２５０は、指定された場所について入手可能な気象値を受け取り、指定された期間にわたるその特定の場所の短時間予報を表す上記の種々のＰＴｙｐｅＲａｔｅを出力することができる。短時間予報の正確度は、特定の地域について利用できる気象データ源の数にも依存する可能性がある。例えば、人口の多い地域は、森林地帯の辺鄙な地域よりも多くの気象レーダを含み、メディアの注目を集める可能性がある（したがって衛星の被覆範囲や予報も多い可能性がある）。ナウキャスターは、気象事象など、他の種類の気象情報も出力することができる。
【０１１０】
[00118]そして、サーバ２５０で生成されたＰＴｙｐｅＲａｔｅをクライアントコンピュータ２５２に送信してユーザに表示することができる。一実施形態では、ＰＴｙｐｅＲａｔｅは順に次々に表示するか、又は百分率が高いものを表示することができる。
【０１１１】
[00119]ハードウェア及び動作環境
【０１１２】
[00120]図７は、請求される主題の実施形態を実施することができる適切なコンピューティング動作環境の例示的な図である。以下の説明は図５に関連し、実施形態をそれとの関連で実装することができる適切なコンピュータハードウェア及び適切なコンピューティング環境の簡単で一般的な説明を提供するものである。上記実施形態を実施するためにすべての構成要素が必須であるとは限らず、実施形態の主旨又は範囲から逸脱することなく構成要素の配置と種類の変種を作製することができる。
【０１１３】
[00121]これは必須ではないが、実施形態は、パーソナルコンピュータ、手持ち型若しくは手のひらサイズのコンピュータ、スマートフォン、又は消費者装置や特殊な産業用コントローラの内部にあるコンピュータなどの組み込みシステムなどのコンピュータによって実行される、プログラムモジュールなどのコンピュータ実行可能命令の一般的な文脈で説明する。一般に、プログラムモジュールは、特定のタスクを行うか、又は特定の抽象データ型を実装する、ルーチン、プログラム、オブジェクト、構成要素、データ構造等を含む。
【０１１４】
[00122]さらに、当業者には、実施形態は他のコンピュータシステム構成で実施することもでき、そのような構成には、手持ち型装置、マルチプロセッサシステム、マイクロプロセッサを利用した、若しくはプログラム可能な消費者電気製品、ネットワークＰＣ、ミニコンピュータ、メインフレームコンピュータ、携帯電話、スマートフォン、ディスプレイページャ、無線周波（ＲＦ）装置、赤外線（ＩＲ）装置、携帯情報端末（ＰＤＡ）、ラップトップコンピュータ、着用可能コンピュータ、タブレットコンピュータ、ｉＰｏｄ若しくはｉＰａｄ系列の装置、上記装置の１つ若しくは複数を組み合わせた総合装置、又は、本明細書に記載される方法及びシステムを行うことが可能な他のコンピューティング装置が含まれることが理解されよう。実施形態は、通信ネットワークで結ばれた遠隔の処理装置によって作業が行われる分散コンピューティング環境で実施することもできる。分散コンピューティング環境では、プログラムモジュールは、ローカル及びリモート両方のメモリ記憶装置に置くことができる。
【０１１５】
[00123]図５Ａ〜図５Ｄの例示的なハードウェア及び動作環境は、コンピュータ７２０の形態の汎用コンピューティング装置を含み、これは、処理装置７２１、システムメモリ７２２、及び、システムメモリを含む各種のシステム構成要素を動作的に処理装置７２１に結合するシステムバス７２３を含む。処理装置７２１は１つのみ、又は２つ以上ある場合があり、コンピュータ７２０のプロセッサは、単一の中央演算処理装置（ＣＰＵ）、又は一般に並列処理環境と呼ばれる複数の処理装置を備える。コンピュータ７２０は、従来のコンピュータ、分散コンピュータ、又は他の種類のコンピュータであるが、実施形態はそれらに限定されない。
【０１１６】
[00124]システムバス７２３は、各種のバスアーキテクチャを使用した、メモリバス又はメモリコントローラ、周辺バス、及びローカルバスを含む数種のバス構造のいずれであってもよい。システムメモリは単にメモリと呼ばれる場合もあり、読出し専用メモリ（ＲＯＭ）７２４及びランダムアクセスメモリ（ＲＡＭ）７２５を含む。起動時などにコンピュータ７２０内の要素間の情報転送を助ける基本ルーチンを含んでいる基本入出力システム（ＢＩＯＳ）７２６がＲＯＭ７２４に記憶される。請求される主題の一実施形態では、コンピュータ７２０は、図示しないハードディスクの読み書きを行うハードディスクドライブ７２７、取り外し可能磁気ディスク７２９の読み出し又は書き込みを行う磁気ディスクドライブ７２８、及びＣＤ  ＲＯＭや他の光学媒体などの取り外し可能の光ディスク７３１の読み出し又は書き込みを行う光ディスクドライブ７３０をさらに含む。請求される主題の代替実施形態では、ハードディスクドライブ７２７、磁気ディスク７２９、及び光ディスクドライブ７３０によって提供される機能は、電力を節減し、システムのサイズを縮小するために、揮発性又は不揮発性のＲＡＭを使用して模倣される。そのような代替実施形態では、ＲＡＭは、コンピュータシステム内に固定されるか、又はコンパクトフラッシュ（登録商標）メモリカードなど取り外し可能なＲＡＭ装置とすることができる。
【０１１７】
[00125]請求される主題の一実施形態では、ハードディスクドライブ７２７、磁気ディスクドライブ７２８、及び光ディスクドライブ７３０は、それぞれハードディスクドライブインターフェース７３２、磁気ディスクドライブインターフェース７３３、及び光ディスクドライブインターフェース７３４によってシステムバス７２３に接続される。これらのドライブとそれに関連付けられたコンピュータ読取り可能媒体は、コンピュータ７２０のコンピュータ可読命令、データ構造、プログラムモジュール、及び他のデータの不揮発性の記憶を提供する。当業者には、磁気カセット、フラッシュメモリカード、デジタルビデオディスク、ベルヌーイカートリッジ、ランダムアクセスメモリ（ＲＡＭ）、読出し専用メモリ（ＲＯＭ）等、コンピュータによりアクセス可能なデータを記憶することができる任意種類のコンピュータ読取り可能媒体を例示的な動作環境で使用できることが理解されよう。
【０１１８】
[00126]ハードディスク、磁気ディスク７２９、光ディスク７３１、ＲＯＭ７２４又はＲＡＭ７２５にはいくつかのプログラムモジュールを記憶することができ、それらにはオペレーティングシステム７３５、１つ又は複数のアプリケーションプログラム７３６、他のプログラムモジュール７３７及びプログラムデータ７３８が含まれる。ユーザは、キーボード７４０やポインティングデバイス７４２などの入力装置を通じてパーソナルコンピュータ７２０にコマンドと情報を入力することができる。他の入力装置（図示せず）には、マイクロフォン、ジョイスティック、ゲームパッド、衛星受信アンテナ、スキャナ、タッチセンシティブパッド等がある。上記及び他の入力装置は多くの場合、システムバスに結合されたシリアルポートインターフェース７４６を通じて処理装置７２１に接続されるが、パラレルポート、ゲームポート又はユニバーサルシリアルバス（ＵＳＢ）等の他のインターフェースで接続することもできる。また、システムへの入力は、音声入力を受け取るマイクロフォンで提供することができる。
【０１１９】
[00127]モニタ７４７又は他の種類の表示装置も、ビデオアダプタ７４８などのインターフェースを介してシステムバス７２３に接続される。請求される主題の一実施形態では、モニタは液晶ディスプレイ（ＬＣＤ）からなる。モニタに加えて、コンピュータは通例、スピーカやプリンタなどの他の周辺出力装置（図示せず）も含む。モニタは、ユーザが表面を押す、又は表面に触れることによってコンピュータとインターフェースを取ることができるタッチセンシティブ面を含むことができる。
【０１２０】
[00128]コンピュータ７２０は、リモートコンピュータ７４９などの１つ又は複数のリモートコンピュータへの論理接続を使用するネットワーク環境で動作することができる。そのような論理接続は、コンピュータ７２０に結合された、又はコンピュータ７２０の一部である通信装置によって実現されるが、実施形態は特定種類の通信装置には限定されない。リモートコンピュータ７４９は、別のコンピュータ、サーバ、ルータ、ネットワークＰＣ、クライアント、ピアデバイス、又は他の一般的なネットワークノード等であり、図６にはメモリ記憶装置７５０のみを示すが、通例は、コンピュータ７２０との関連で上述した要素の多く又はすべてを含む。図６に示す論理接続は、ローカルエリアネットワーク（ＬＡＮ）７５１及びワイドエリアネットワーク（ＷＡＮ）７５２を含む。このようなネットワーキング環境は、オフィス、企業規模のコンピュータネットワーク、イントラネット、及びインターネットで広く見られる。
【０１２１】
[00129]ＬＡＮネットワーキング環境で使用される場合、コンピュータ７２０は、通信装置の一種であるネットワークインターフェース又はアダプタ７５３を通じてローカルネットワーク７５１に接続される。ＷＡＮネットワーキング環境で使用される場合、コンピュータ７２０は通例、通信装置の一種であるモデム７５４、又はインターネットなどのワイドエリアネットワーク７５２を通じて通信を確立するための他の種類の通信装置を含む。モデム７５４は、内蔵型である場合も外付け型である場合もあり、シリアルポートインターフェース７４６を介してシステムバス７２３に接続される。ネットワーク環境では、パーソナルコンピュータ７２０に関連して図示するプログラムモジュール又はその一部は、遠隔のメモリ記憶装置に記憶することができる。図のネットワーク接続は例示的なものであり、コンピュータ間に通信リンクを確立する他の手段及び通信装置を使用できることが認識される。
【０１２２】
[00130]請求される主題の実施形態をそれとの関連で実施することができるハードウェア及び動作環境について説明した。請求される主題の実施形態をそれとの関連で実施することができるコンピュータは、従来のコンピュータ、手持ち型若しくは手のひらサイズのコンピュータ、組み込みシステム中のコンピュータ、分散コンピュータ、又は他の種類のコンピュータ等であるが、請求される主題はそれらに限定されない。そのようなコンピュータは通例、１つ又は複数の処理装置をプロセッサとして含み、またメモリなどのコンピュータ読取り可能媒体を含む。コンピュータはネットワークアダプタやモデムなどの通信装置も含む場合があり、通信的に他のコンピュータに結合することができる。
【０１２３】
[00131]上記で好ましい実施形態について説明し、添付図面に示したが、本開示から逸脱することなく変更を加えることが可能であることは当業者には明瞭であろう。そのような変更は、本開示の範囲に包含される、可能な変形と考えられる。
【図１Ａ】
2018163159.tif 000004
【図１Ｂ】
2018163159.tif 000005
【図１Ｃ】
2018163159.tif 000006
【図２】
2018163159.tif 000007
【図３】
2018163159.tif 000008
【図４】
2018163159.tif 000009
【図５Ａ】
2018163159.tif 000010
【図５Ｂ】
2018163159.tif 000011
【図５Ｃ】
2018163159.tif 000012
【図５Ｄ】
2018163159.tif 000013
【図６】
2018163159.tif 000014
【図７】
2018163159.tif 000015
【手続補正書】
【提出日】平成30年6月19日(2018.6.19)
【手続補正１】
【補正対象書類名】特許請求の範囲
【補正対象項目名】全文
【補正方法】変更
【補正の内容】
【特許請求の範囲】
【請求項１】
コンピュータによって実施される方法であって、
遠隔の装置から、前記遠隔の装置のユーザにより入力された気象に関連する観測データを受信するステップであり、前記気象に関連する観測データは、ある場所及びある時間における気象関連事象を示す、ステップと、
前記気象に関連する観測データの客観的な気象データとの比較により、前記ユーザの信頼度を示す信用性の評価を決定するステップと、
前記信用性の評価に基づいて、前記気象に関連する観測データに関連付けられる重みを決定するステップと、
前記気象に関連する観測データ及び前記重みに基づいて、画像の画素の値を設定するステップであって、前記画素は前記場所に関連付けられている、ステップと、
前記画像に基づいて、天気予報を生成するステップと、
前記天気予報を出力するステップと、
を含む方法。
【請求項２】
前記画像は、第２の場所に関連付けられた第２の画素をさらに含み、
前記方法は、前記気象に関連する観測データ、前記時間、前記重み及び前記場所と前記第２の場所との距離に基づいて前記第２の画素の第２の値を設定するステップ、をさらに含む、
請求項１に記載の方法。
【請求項３】
前記画像は、前記時間に関連付けられている、請求項１に記載の方法。
【請求項４】
前記天気予報は、第２の時間に関連付けられた第２の画像にさらに基づいて生成される、請求項１〜３のいずれか一項に記載の方法。
【請求項５】
前記気象関連事象が、雹、風、稲妻、温度、降水、及び日光の強度、の少なくとも１つを含む、請求項１〜４のいずれか一項に記載の方法。
【請求項６】
前記天気予報は、ある地域における可能性の高い降水種類、及び、複数の降水量のうちの各降水量に対する、前記可能性の高い降水種類が前記各降水量で発生する可能性を示す、請求項１〜５のいずれか一項に記載の方法。
【請求項７】
前記天気予報を生成するステップが、
降水種類の確率分布及び降水量の確率分布を生成するステップであって、前記降水種類の確率分布は、複数の降水種類のうちの各降水種類が発生する可能性を示し、前記降水量の確率分布は、複数の降水量の各降水量が発生する可能性を示す、ステップと、
前記降水種類の確率分布及び前記降水種類の確率分布を組み合わせることにより結果の分布を生成するステップであって、前記結果の分布は、複数の降水種類のうちの各降水種類が、複数の降水量のうちの各降水量で発生する可能性を示す、ステップと、を含む、
請求項１〜６のいずれか一項に記載の方法。
【請求項８】
前記天気予報は、前記遠隔の装置とは異なる他の遠隔の装置に送信され、
前記方法は、
前記他の遠隔の装置が前記気象に関連する観測データから恩恵を受けたことを、前記遠隔の装置に送信するステップ、を含む、
請求項１〜７のいずれか一項に記載の方法。
【請求項９】
前記画像は、第２の場所に関連付けられた第２の画素を含み、
前記方法は、
第２の遠隔の装置から、前記第２の遠隔の装置の第２のユーザにより入力された第２の気象に関連する観測データを受信するステップであって、前記第２の気象に関連する観測データは、前記第２の場所における第２の気象関連事象を示す、ステップと、
前記第２の気象に関連する観測データ及び第２の重みに基づいて前記第２の画素を第２の値に設定するステップであって、前記第２の重みは前記第２のユーザに関連付けられた第２の信用性の評価に基づいて決定される、ステップと、を含む、
請求項１〜８のいずれか一項に記載の方法。
【請求項１０】
前記受信された気象に関連する観測データを記憶するステップと、
前記記憶された気象に関連する観測データに関連付けられた統計を生成するステップであって、前記統計は、前記天気予報を受信した遠隔の装置の数を示す情報を含む、ステップと、
前記統計の少なくとも一部を前記遠隔の装置に出力するステップと、を含む、
請求項１〜９のいずれか一項に記載の方法。
【請求項１１】
記気象に関連する観測データの客観的な気象データとの比較は、前記客観的な気象データに基づいて前記気象に関連する観測データが発生することにより示される前記気象関連事象の可能性を判定すること含む、
請求項１〜１０のいずれか一項に記載の方法。
【請求項１２】
前記客観的な気象データは、温度または気圧を示し、前記気象関連事象は、降雪を含む、請求項１〜１１のいずれか一項に記載の方法。
【請求項１３】
装置を含むシステムであって、
前記装置は、１つまたは複数のプロセッサ、前記１つまたは複数のプロセッサのための命令を記憶したメモリ、及び、通信ネットワークを介して遠隔の装置に接続する通信モジュール、を含み、
前記メモリに記憶された命令は、前記１つまたは複数のプロセッサにより実行されると、前記１つまたは複数のプロセッサに、
遠隔の装置から、前記遠隔の装置のユーザにより入力された気象に関連する観測データを受信させ、前記気象に関連する観測データは、ある場所及びある時間における気象関連事象を示し、
前記気象に関連する観測データの客観的な気象データとの比較により、前記ユーザの信頼度を示す信用性の評価を決定させ、
前記信用性の評価に基づいて、前記気象に関連する観測データに関連付けられる重みを決定させ、
前記気象に関連する観測データ及び前記重みに基づいて、画像の画素の値を設定させ、前記画素は前記場所に関連付けられており、
前記画像に基づいて、天気予報を生成させ、
前記天気予報を出力させる、
システム。
【請求項１４】
前記メモリに記憶された前記命令は、前記１つまたは複数のプロセッサにより実行されると、前記１つまたは複数のプロセッサに、さらに、
第２のデータ源から、自動的に生成された測定値を受信させ、
前記天気予報は、前記自動的に生成された測定値にさらに基づいて生成され、
前記天気予報は、前記気象関連事象により影響されたことが予測された地域を示し、前記地域は、前記自動的に生成された測定値に基づいて識別される、
請求項１３に記載のシステム。
【請求項１５】
前記自動的に生成された測定値は、レーダ測定を含む、請求項１４に記載のシステム。
【請求項１６】
前記メモリに記憶された前記命令は、前記１つまたは複数のプロセッサにより実行されると、前記１つまたは複数のプロセッサに、さらに、
第２の遠隔の装置から、前記第２の遠隔の装置の第２のユーザにより入力された第２の気象に関連する観測データを受信させ、
前記第２の気象に関連する観測データ及び前記第２のユーザに関連付けられた第２の重みに基づいて、前記画像の第２の画素の第２の値を設定させる、
請求項１３〜１５のいずれか一項に記載のシステム。
【請求項１７】
前記気象に関連する観測データの客観的な気象データとの比較は、前記気象に関連する観測データにより示される前記気象関連事象が、前記客観的な気象データに基づいて発生しうるか否かを判定することを含む、
請求項１３〜１６のいずれか一項に記載のシステム。
【請求項１８】
前記システムは、前記遠隔の装置を含み、
前記遠隔の装置は、１つまたは複数の追加のプロセッサ、ディスプレイ、及び、プログラムを記憶している非一時的なコンピュータ読取り可能なメモリを含み、
前記プログラムは、前記１つまたは複数の追加のプロセッサにより実行されると、前記１つまたは複数の追加のプロセッサに、
前記通信ネットワークを介して前記装置から出力された前記天気予報を取得させ、
前記ディスプレイに前記天気予報の少なくとも部分の表示をさせる、
請求項１３〜１７のいずれか一項に記載のシステム。
【請求項１９】
請求項１〜１２のいずれか一項に記載された方法をコンピュータに実行させる命令を記憶した非一時的なコンピュータ読取り可能媒体。
【外国語明細書】
2018163159000001.pdf